(57)【特許請求の範囲】
【請求項１】
熱間成形された構造の部品を製造するための押圧システムであって、システムは、固定された下部の本体と、可動性の上部の本体と、前記固定された下部の本体に対して、前記可動性の上部の本体を上へ及び下へ押す進行を提供するように構成された機構と、を備え、
システムは、選択された部分が、局所的に異なる微細構造及び機械的特性を得ることができるように、前もって加熱されたブランクの前記選択された部分を冷却及び／または加熱するように構成された冷却／加熱道具と、前記ブランクを引くように構成された押圧道具と、前記冷却／加熱道具から前記押圧道具へ前記ブランクを移動するためのブランク移動機構と、を備え、
冷却／加熱道具は、上部及び下部の対になっている冷却／加熱金型を備え、それぞれの冷却金型は、使用において、前記ブランクに面する１以上の機能表面を備える、２以上の金型ブロックによって形成され、前記上部の冷却／加熱金型は、前記可動性の上部の本体と連結され、前記下部の冷却／加熱金型は、前記固定された下部の本体と連結され、
前記上部及び下部の金型は、局所的に異なる微細構造及び機械的特性を有する前記ブランクの領域に対応する、異なる温度で操作されるように構成された２以上の金型ブロックを備え、
前記押圧道具は、前記冷却／加熱道具の下流に配置され、上部と下部の対になっている押圧金型を備え、それぞれの押圧金型は、使用において、前記ブランクに面する１以上の機能表面を備え、前記上部の押圧金型は、前記上部の本体に結びつけられ、前記下部の押圧金型は、前記下部の本体に結びつけられるシステム。
【請求項２】
前記冷却／加熱道具の下部の金型は、前記下部の本体からのあらかじめ決定された第１の距離における位置へ、前記下部の金型を付勢するように構成された１以上の下部の付勢要素を備える前記下部の本体と連結され、及び／または、前記冷却／加熱道具の上部の金型は、前記上部の本体からのあらかじめ決定された第２の距離における位置へ、前記上部の金型を付勢するように構成された１以上の上部の付勢要素を備える前記上部の本体と連結される、請求項１に記載のシステム。
【請求項３】
高い温度で操作するように構成された前記ブロックは、１以上の電気ヒータ及び／または熱い液体を案内する経路を備える、請求項１または２に記載のシステム。
【請求項４】
低い温度で操作するように構成された前記ブロックは、冷却液及び／または空気を案内する経路を備える、請求項１乃至３のいずれかに記載のシステム。
【請求項５】
前記押圧道具の上部及び下部の対になっている金型はさらに、局所的に異なる微細構造と機械的特性を有する前記ブランクの領域に対応する異なる温度で、操作するように構成された２以上の金型ブロックを備える、請求項１乃至４のいずれか１項に記載のシステム。
【請求項６】
高い温度で操作するように構成された前記押圧道具の上部及び下部の対になっている金型の前記ブロックは、１以上の電気ヒータ及び／または熱い液体を案内する経路を備える、請求項５に記載のシステム。
【請求項７】
さらに、切り取る及び／または突き通す操作を実行するように構成された第１の後操作道具を備え、前記第１の後操作道具は、前記押圧道具の下流に配置され、上部及び下部の対になっている第１の後操作道具の金型を備え、
それぞれの金型は、使用において前記ブランクに面する１以上の機能表面を備え、
前記上部の第１の後操作道具の金型は、前記上部の本体に結びつけられ、前記下部の第１の後操作道具の金型は、前記下部の本体に結びつけられ、
前記第１の後操作道具の金型は、前記１以上の機能表面に配置された、１以上のナイフまたは鋸刃を備え、
前記ブランク移動機構は、さらに前記押圧道具から前記第１の後操作道具へ前記ブランクを移動するように構成される、請求項１乃至６のいずれか１項に記載のシステム。
【請求項８】
前記第１の後操作道具の上部及び下部の対になっている金型はさらに、局所的に異なる微細構造と機械的特性を有する前記ブランクの領域へ対応する異なる温度で操作するように構成された金型ブロックを備える、請求項７に記載のシステム。
【請求項９】
さらに、切り取る及び／または突き通す操作を実行するように構成された第２の後操作道具を備え、前記第２の後操作道具は、前記第１の後操作道具の下流に配置され、上部及び下部の対になっている第２の後操作道具の金型を備え、
それぞれの金型は、使用において前記ブランクに面する１以上の機能表面を備え、
前記上部の第２の後操作道具の金型の反対は、前記上部の本体に結びつけられ、前記下部の第２の後操作道具の金型は、前記下部の本体に結びつけられ、
前記第２の後操作道具の金型は、前記１以上の機能表面に配置された、１以上のナイフまたは鋸刃を備え、
前記ブランク移動機構は、さらに前記第１の後操作道具から前記第２の後操作道具へ前記ブランクを移動するように構成される、請求項７または８に記載のシステム。
【請求項１０】
ブランクを加熱及び冷却するための方法であって、
請求項１乃至９のいずれかに記載の押圧システムを提供し、
超高強度鋼（ＵＨＳＳ）から作られた被熱間成形ブランクを提供し、
前記ブランクを加熱し、
押圧機構を用いて、開いた位置に押す前記上部の本体を配置し、
前記冷却／加熱道具の上部及び下部の対になっている金型の間に前記ブランクを配置し、
前記ブランクを押圧するために、前記固定された下部の本体に対して、最終的な所望の位置になるまで、前記上部の金型が、前記下部の金型へ向かって動かされるように、前記固定された下部の本体に対して、前記可動性の上部の本体の下へ押す進行を提供することによって、少なくとも前記ブランクの選択された位置を冷却し、
局所的に異なる微細構造と機械的特性を有するように、被形成ブランクの領域に対応する、異なる温度で冷却／加熱道具の少なくとも２つの金型ブロックを操作し、高い温度のブロックは、それらの機能表面が軟らかい領域が形成されるべき前記ブランクの部分に、接触して入るように構成されるように、ブランクに対して配置される、方法。
【請求項１１】
さらに、前記冷却／加熱道具から前記押圧道具へ前記ブランクを移動し、
前記押圧道具の上部及び下部の金型の間に前記ブランクを配置し、
構造部品を押圧するために、前記押す固定された下部の本体に対して、前記最終的な所望の位置に到達するまで、前記固定された下部の本体に対して、前記可動性の上部の本体を下へ押す進行を提供することによって、前記ブランクを引く、請求項１０に記載の方法を備える、ブランクを引く方法。
【請求項１２】
さらに局所的に異なる微細構造と機械的特性を有する被形成ブランクの領域に対応する、異なる温度で少なくとも２つの押圧道具の金型ブロックを操作することを備える、請求項５を引用する請求項１１に記載の方法。
【請求項１３】
さらに、前記押圧道具から前記第１の後操作道具へ前記ブランクを移動し、
前記第１の後操作道具の上部及び下部の対になっている金型の間に前記被形成構造部品を配置し、
前記ブランクを押圧するために、前記押す固定された下部に対して、前記最終的な所望の位置に到達するまで、前記押す固定された下部の本体に対して、前記押す可動性の上部の本体に下へ押す進行を提供し、
前記第１の後操作道具の鋸刃を使って、前記ブランクを切るまたは押し抜きをする、請求項７を引用する請求項１１または請求項１２に記載の方法を備える、ブランクを突き通す及び／または切り取る方法。
【請求項１４】
さらに、前記ブランクを切るまたは押し抜きをする前に、局所的に異なる微細構造と機械的特性を有する被形成ブランクの領域に対応する、異なる温度で、前記第１の後操作道具の少なくとも２つの金型ブロックを操作することを備える、請求項８を引用する請求項１３に記載の方法。
【請求項１５】
さらに前記第１の後操作道具から前記第２の後操作道具へ構造部品を運び、
前記構造部品を押圧するために、前記最終的な所望の位置に到達するまで、前記押す固定された下部の本体に対して、前記押す可動性の上部の本体の下へ押す進行を提供し、
前記鋸刃を使って、前記構造部品を切るまたは押し抜きをし、
それぞれの上部及び下部の金型の前記機能表面にそって、被形成構造部品を変形するように、前記上部及び下部の金型の間の距離を調整する、請求項９を引用する、請求項１３または請求項１４に記載の方法を備える、熱間成形された被形成構造部品をさらに、突き通す及び／または切り取る及び調整する方法。
【発明の詳細な説明】
【技術分野】
【０００１】
本出願は、２０１５年３月９日に出願された、欧州特許出願１５３８２１０４．６の利益を主張する。
【０００２】
本開示は、熱間成形された構造部品を製造する押圧システム及びその方法に関連する。
【背景技術】
【０００３】
自動車の産業の軽量化の要求は、軽量の材料または部品の、及び製造方法及び道具の開発及び実施を導いてきた。重さを減らす要求は、特にＣＯ２放出の減少という目標に突き動かされる。占有者の安全の関心の増加も、エネルギ吸収も改良する一方で、衝突の間の車の完全性を改良する材料の選択を導く。
【０００４】
熱間成形金型焼き入れ（Ｈｏｔ  Ｆｏｒｍｉｎｇ  Ｄｉｅ  Ｑｕｅｎｃｈｉｎｇ（ＨＦＤＱ）として知られている工程は、例えば、１５００ＭＰａまたは２０００ＭＰａまたは更にそれより高い引張強度を備える、超高強度鋼（Ｕｌｔｒａ  Ｈｉｇｈ  Ｓｔｒｅｎｇｔｈ  Ｓｔｅｅｌ（ＵＨＳＳ））特性を備える、スタンプされた部品を作り出すために、ボロン鋼シートを使う。強度の増加により、ゲージを薄くする材料が使われることができ、従来の冷間スタンプされた軟鋼部品を超えて、重さを節約することをもたらす。
【０００５】
ホットスタンピング及び焼き入れするための超高強度鋼（ＵＨＳＳ）がいくつか知られている。ブランクは、例えば、ＡｒｃｅｌｏＭｉｔｔａｌから商業的に入手可能な、Ｕｓｉｂｏｒ（登録商標）（２２ＭｎＢ５）のような、コーティングされた、またはコーティングされていない、ボロン鋼で作られている。
【０００６】
ＨＦＤＱ工程を使って、製造されることができる典型的な車の部品は、ドアのはり、バンパーのはり、交差する／側面の部材、Ａ／Ｂピラー補強材、及びウエストレール補強材を含む。
【０００７】
ボロン鋼の熱間成形は、それらの優れた強度と加工性のために、自動車産業で人気が増加してきている。伝統的に冷間成形による、軟鋼から形成された多くの構造部品は、それゆえ、強度の十分な増加を提示する熱間成形された等価物に置き換えられてきている。これにより、同じ強度を維持する一方、材料の厚さ（そして、それゆえ重さ）を減少することができる。しかしながら、熱間成形された部品は、形成されたままの状態で、とても低い水準の延性とエネルギ吸収を提供する。
【０００８】
部品の特定の部分の延性とエネルギ吸収を改良するために、同じ部品の中に軟らかい領域を導入することが知られている。これにより、全体で必要とされた高い強度を維持する一方で、局所的に延性を改良する。それらが、とても高い強度（とても硬い）の領域と増加した延性（軟らかい）を備える領域を備えるように、いくつかの構造部品の微細構造と機械的特性を局所的に、あつらえることによって、それらの全体のエネルギ吸収を改良し、衝突の状況の間のそれらの構造的な完全性を維持し、また、それらの全体の重さを減らすことを可能とするかもしれない。そのような軟らかい領域は、衝突のもとで部品の崩壊の場合に、運動学的挙動を有利に変化することもあるかもしれない。
【０００９】
自動車の構造部品において、延性を増加した領域（「軟らかい領域」（ｓｏｆｔｚｏｎｅｓ）または「軟らかい領域」（ｓｏｆｔ  ｚｏｎｎｅｓ））を作り出す知られた方法は、相補的な上部と下部の金型ユニットの組を備え、ユニットのそれぞれは、分離した金型要素（鋼のブロック）を有する、道具の準備を含む。被熱間成形ブランクは、強度を減らすように、すなわち、ホットスタンピング工程を促進するように、例えば、加熱炉システムによって、例えば、オーステナイト化する温度またはそれより高い、あらかじめ決められた温度で、前もって加熱される。
【００１０】
金型要素は、焼き入れ工程の間、被形成部分の異なる領域で、異なる冷却割合を有するために、異なる温度で機能するために設計されてもよく、そして、それによって、例えば軟らかい領域といった、最終製品において、異なる材料特性をもたらしてもよい。例えば、１つの金型要素は、高い冷却割合で製造されている部品の対応する領域を焼き入れするために、急速に部品の温度を減少することによって、冷やされてもよい。別の隣接した金型要素は、製造されている部品の対応する部分が、低い冷却割合で冷却することを確保するために、加熱されてもよく、そしてそれゆえ、金型から離れたときに、部品の残りよりも高い温度を維持していてもよい。
【００１１】
熱間成形要素を製造するための多段階の押圧システムの使用が知られている。多段階の押圧システムは、同時にブランクに異なる操作を実行するように構成された複数の道具を備えてもよい。そのような配置によって、複数のブランクは、多段階の押圧システムを形成する道具を使って、一回のストロークの間に同時に異なる製造工程を受け、それゆえ、システムの成果を上げることができる。
【００１２】
多段階の押圧システムは、ブランクを押圧するように構成される押圧道具へ加熱されたブランクを移動する、コンベアまたは移動装置を含んでもよい。さらに、被熱間成形ブランクを加熱し、軟らかくする加熱炉システムは、多段階の押圧機械から上流に提供されることができる。さらに、分離したレーザ工程ステップまたは分離した切断道具も提供されることができ、スタンプされたブランクは、押圧システムから送り出され、製造される、例えば、切断され及び／または切り取られ及び／または突き通され及び／または押し抜かれるために、レーザ工程ステップまたは分離した切断道具に移動され、配置される。
【００１３】
一般的に、そのようなシステムにおいて、外部の前もって冷却する道具は、被熱間成形ブランクを前もって冷却するために使われる。ブランクが冷やされると、外部の前もって冷却する道具から多段階押圧器具またはシステムへ移動される。
【００１４】
国際公開第２０１１／１１５５３９号は、加熱炉と押圧焼き入れ工程の間に提供された接触冷却押圧を記載する。ブランク（１８）のあらかじめ選択された部分は、最終製品の対応する部分がより軟らかく、高い降伏点を提示するように、接触冷却される。
【先行技術文献】
【特許文献】
【００１５】
【特許文献１】国際公開第２０１１／１１５５３９号
【発明の概要】
【発明が解決しようとする課題】
【００１６】
本開示は、軟らかい領域を作り出すように構成された多段階システムと方法における改良を提供することを探し求める。
【課題を解決するための手段】
【００１７】
第１の態様において、熱間成形された構造部品を製造するための押圧システムが提供されることができる。システムは、固定された下部の本体と、可動性の上部の本体と、固定された下部の本体に対して、可動性の上部の本体を上へ及び下へ押す進行を提供するように構成された機構と、を備える。システムは、さらに局所的に異なる微細構造及び機械的特性を有する前もって加熱されたブランクを冷却及び／または加熱するように構成され、上部及び下部の対になっている冷却／加熱道具を備え、それぞれの冷却金型は、使用において、ブランクに面する１以上の機能表面を備える、２以上の金型ブロックによって形成され、上部及び下部の金型は、局所的に異なる微細構造及び機械的特性を有するブランクの領域に対応する異なる温度で操作するように構成された２以上の金型ブロックを備え、押圧道具は、ブランクを引くように構成され、押圧道具は、冷却／加熱道具の下流に配置され、上部と下部の対になっている金型を備え、それぞれの押圧金型は、使用において、ブランクに面する１以上の機能表面を備え、上部の押圧金型は、上部の本体に結びつけられ、下部の押圧金型は、下部の本体に結びつけられる。システムはさらに、冷却／加熱道具から押圧道具へブランクを移動するブランク移動機構を備える。
【００１８】
この態様によって、押圧システムは、局所的に異なる微細構造と機械的特性を有するブランクの領域（「軟らかい領域」）を作り出すように構成された冷却／加熱道具、及び引くまたは形成する道具が設けられる。
【００１９】
そのような冷却／加熱道具ととともに、選択された金型ブロックが加熱されることができ、それゆえ加熱されたブロック（「軟らかい領域」）と接触するブランクの異なる微細構造と機械的特性を変化させることができ、それゆえ領域の延性を改良する。
【００２０】
加えて、単なる押圧の道具の一体として、冷却道具から引く道具へ移動する時間を減らすことができ、それゆえ工程を、最適化することができ、生産性は、制御の下で、温度と冷却割合を維持する一方で、改善することができる。
【００２１】
第２の態様において、ブランクの加熱と冷却のための方法が提供されることができる。方法は、第１の態様による押圧システムを提供することを、備える。方法は、さらに超高強度鋼（ＵＨＳＳ）から作られた被熱間成形ブランクを提供することを含む。ブランクは加熱されてもよい。押す上部の本体は、押圧機構を用いて、開いた位置に配置される。それから、ブランクは、冷却／加熱道具の上部及び下部の対になっている金型の間に配置される。少なくともブランクの部分は、ブランクを押圧するために、固定された下部の本体に対して、最終的な所望の位置に到達するまで、上部の金型が、下部の金型へ向かって動かされるように、固定された下部の本体に対し、可動性の上部の本体の下へ押す進行を提供することによって、冷却され、少なくとも２つの金型ブロックが、局所的に異なる微細構造と機械的特性を有するように、被形成ブランクの領域に対応する異なる温度で操作されることを含み、高い温度のブロックは、それらの機能表面が軟らかい領域が形成されるべきブランクの部分に、接触して入るように構成されるように、ブランクに対して配置される。
【図面の簡単な説明】
【００２２】
【図１】概略的に、実施例による多段階押圧システムを表す。
【図２ａ】概略的に、実施例によるブランクを冷却するための方法の実行の間に起きる状況の順序を描く。
【図２ｂ】概略的に、実施例によるブランクを冷却するための方法の実行の間に起きる状況の順序を描く。
【図２ｃ】概略的に、実施例によるブランクを冷却するための方法の実行の間に起きる状況の順序を描く。
【図２ｄ】概略的に、実施例によるブランクを冷却ための方法の実行の間に起きる状況の順序を描く。
【図２ｅ】概略的に、実施例による同じブランクを引くための方法の実行の間に起きる状況の順序を描く。
【図２ｆ】概略的に、実施例による同じブランクを引くための方法の実行の間に起きる状況の順序を描く。
【図２ｇ】概略的に、実施例による同じブランクを引くための方法の実行の間に起きる状況の順序を描く。
【図２ｈ】概略的に、実施例による同じブランクを引くための方法の実行の間に起きる状況の順序を描く。
【図２ｉ】概略的に、実施例による同じブランクを突き通す及び／または切り取るための方法の実行の間に起きる状況の順序を描く。
【図２ｊ】概略的に、実施例による同じブランクを突き通す及び／または切り取るための方法の実行の間に起きる状況の順序を描く。
【図２ｋ】概略的に、実施例による同じブランクを突き通す及び／または切り取るための方法の実行の間に起きる状況の順序を描く。
【図２ｌ】概略的に、実施例による同じブランクを突き通す及び／または切り取るための方法の実行の間に起きる状況の順序を描く。
【図２ｍ】概略的に、実施例による同じブランクをさらに突き通す及び／または切り取るための方法の実行の間に起きる状況の順序を描く。
【図２ｎ】概略的に、実施例による同じブランクをさらに突き通す及び／または切り取るための方法の実行の間に起きる状況の順序を描く。
【図２ｏ】概略的に、実施例による同じブランクをさらに突き通す及び／または切り取るための方法の実行の間に起きる状況の順序を描く。
【図２ｐ】概略的に、実施例による同じブランクをさらに突き通す及び／または切り取るための方法の実行の間に起きる状況の順序を描く。
【発明を実施するための形態】
【００２３】
本開示の限定されない実施例は、図面を参照して、次に記載されるであろう。
【００２４】
図１は、概略的に、実施例による多段階押圧システムを表す。システム１は、固定された下部の本体２、可動性の上部の本体３と、固定された下部の本体２に対して、可動性の上部の本体３の上へ及び下へ押す進行を提供するように構成される機構（図示せず）を備える。
【００２５】
固定された下部の本体２は、金属の大きなブロックであることができる。この特定の実施例において、固定された下部の本体２は、動かなくてもよい。いくつかの実施例において、固定された下部の本体２に組み込まれた金型クッション（図示せず）が、提供されてもよい。クッションは、ブランクホルダの力を受け及び制御するように構成されてもよい。可動性の上部の本体３も金属から切り出した固体の一部であることができる。可動性の上部の本体３は、ストロークサイクル（上及び下の動き）を提供することができる。
【００２６】
押圧システムは、毎分約３０ストロークを実行するように構成することができ、それゆえ、それぞれのストロークサイクルは約２秒であることができる。ストロークサイクルは、さらなる実施例において異なることができた。
【００２７】
プレス機の機構は、機械で、油圧でまたはサーボ機械で駆動されることができる。固定された下部の本体２に対して可動性の上部の本体３の進行は、機構によって決定されることができる。この特定の実施例において、プレス機は、サーボの機械のプレス機であってもよく、それゆえ、ストロークの間、一定の押圧力が提供されてもよい。サーボの機械のプレス機は、無限のスライド（ｒａｍ）速度と位置の制御を与えることができる。サーボの機械のプレス機は、あらゆるスライドの位置において、押圧力の利用のよい範囲を与えることもでき、それゆえプレス機の大きな柔軟性を達成することができる。サーボ駆動のプレス機は、金属形成におけるプロセス条件と生産性を改善するための能力を有するかもしれない。プレス機は、２０００Ｔｎの押圧力を有してもよい。
【００２８】
いくつかの実施例において、プレス機は、機械的なプレス機であってもよく、それゆえ固定された下部の本体２への押圧力の進行は、駆動とヒンジシステムによって決めることができる。機械的なプレス機はそれゆえ、単位時間あたり高いサイクルに達することができる。代わりに、油圧のプレス機も使われることができる。
【００２９】
ブランクの前もって選択された部分を冷却し、加熱するように構成された冷却／加熱道具１０が提供されることができる。ブランクは、例えば、加熱炉のなかで、前もって加熱されてもよい。冷却／加熱道具４は、上部１１と下部１２の対になっている金型を備えることができる。冷却道具の上部１１と下部１２の金型のそれぞれは、２以上の金型ブロック（図示せず）で形成されることができる。冷却／加熱道具の上部の金型は、上部の機能表面１５を備える。冷却／加熱道具の下部の金型は、下部の機能表面１６を備える。使用において、機能表面の両方は、被熱間成形ブランクに面する。
【００３０】
金型ブロック（詳細には図示せず）は、局所的に異なる微細構造と機械的特性（「軟らかい領域」と「硬い領域」）を得ることになる、ブランクの領域に対応する、異なる温度で操作するように構成されることができる。低い温度で操作するように構成された金型ブロックは、「硬い領域」が形成されるべきブランクの領域に対応することができる。さらに、高い温度で操作するように構成された金型ブロックは、それゆえ「軟らかい領域」が形成されるべきブランクの領域に対応することができる。
【００３１】
軟らかい領域の選択は、軟らかい領域を選択するためのいくつかの他の方法が可能であってもよいが、衝突試験またはシミュレーション試験に基づいてもよい。軟らかい領域は、例えばＢピラーのような、単純な場所で最も有利な衝突行動またはよりよい吸収を決定するためにシミュレーションによって決めることができる。
【００３２】
下部の金型１２は下部の本体２からあらかじめ決められた第１の距離おける位置へ下部の金型１２を付勢するように構成された、第１の下部の付勢要素１３と第２の下部の付勢要素１４を備える、下部の本体２へ接続されてもよい。付勢要素は、いくつかの他の付勢要素が、例えば油圧機構などが可能であるが、例えば、機械的なバネまたはガススプリングといった、例えば、バネを備えることができる。いくつかの実施例において、単一の下部の付勢要素または２を超える付勢要素が提供されることができる。
【００３３】
いくつかの他の実施例において（描かれず）、代わりにまたは追加的に、上部の金型１１は、上部の本体からあらかじめ決められた第２の距離おける位置に上部の金型を付勢するように構成された１以上の上部の付勢要素を備える上部の本体３へ接続されてもよい。
【００３４】
まださらなる実施例において、下部の金型１２は、直接、下部の本体２に接続されてもよく、及び／または、上部の金型１１は、直接、上部の本体３に接続されてもよい。それゆえ、付勢要素は、必要とされないだろう。
【００３５】
上部及び／または下部の付勢要素の挿入によって、上部の金型１１と下部の金型１２の間で接触する時間をストロークサイクル（下部の本体２に対する可動性の上部の本体３の上と下の動き）の間、調整し、増加することができる。
【００３６】
冷却／加熱道具における付勢要素によって、上部と下部の冷却金型の間の接触は、押圧道具（及びさらに下流に配置された道具）の押圧金型の接触の前に、引き起こされることができる。それゆえ、ストロークサイクルの間、冷却金型の間の接触時間は、増加されることができ、被冷却部分のさらなる冷却を許す。
【００３７】
冷却道具の金型ブロックは、高い温度（「熱いブロック」）を達成するために例えば電気ヒータ及び／または熱い液体を導く経路といった、加熱源を備える。高い温度で、操作するための金型を適応させるための他の代わりのものは、例えば埋め込まれたカートリッジヒータも予測されることができる。
【００３８】
さらに、上部と下部の金型は、低い温度（冷たいブロック）で操作するように構成された１またはいくつかのブロックを含んでもよい。これらの冷たいブロックは、ブロックに提供される経路を通る例えば水及び／または空気といった、冷たい液体で冷やされることができる。
【００３９】
さらに、冷却／加熱道具１０は、熱い及び／または冷たいブロックの温度を制御するために、制御システムと温度センサを設けられてもよい。センサは、熱電対であることができる。
【００４０】
それぞれの熱電対は、あらかじめ決められた温度で操作する道具の領域を画定することができる。さらに、それぞれの熱電対は、領域の温度を設定するために、ヒータまたはヒータ群と関連してもよい。
【００４１】
熱電対は、制御パネルと関連してもよい。それぞれのヒータまたはヒータ群（または冷却装置）は、それゆえ、同じブロックの中でさえ、他のヒータまたはヒータ群から独立して稼働することができる。それゆえ、適当なソフトウェアまたは制御ロジックを使って、使用者は、ヒータ電力、水の流れのオン／オフ、水の流れの割合などが、同じブロックの中のそれぞれの領域の自動的な方法で、調整されることができることに基づく、キーとなるパラメータ（温度、温度制限）を設定することができるだろう。
【００４２】
さらに、上部１１及び／または下部１２の対になっている金型は、それぞれの金型にそれぞれ対応して配置された冷却システムを備える、上部の機能表面１５及び／または下部の機能表面１６の反対の表面に設置されることができる、熱いブロックの過熱を避けるように構成された冷却プレート（図示せず）が設けられてもよい。冷却システムは、冷却／加熱道具の加熱を避けるまたは少なくとも、減らすために、または冷却／加熱道具に、余分な冷却を提供するために、冷たい水またはその他の冷却液の循環のための冷たい経路を備えてもよい。
【００４３】
実施例において、冷却／加熱道具は、道具にブランクを適当に設置するように構成された、例えばピン及び／または案内装置といったセンタリング要素が設けられてもよい。いくつかの他の実施例において、ブランクは、前もって、ブランクを中心にするためのセンタリングステーション、例えば重力テーブルに置かれてもよい。代わりに、ブランクは、例えば画像システムを使って、設置されてもよい。
【００４４】
ブランクを引くように構成された押圧道具２０も、この実施例において提供される。押圧道具２０は、冷却／加熱道具１０の下流に配置される。押圧道具２０は、上部２１と下部２２の対になっている金型を備える。
【００４５】
押圧道具の上部２１及び下部２２の金型は、最終的に、局所的に異なる微細構造と機械的特性（「軟らかい領域」）を得るべきブランクの領域に対応する、異なる温度で操作するように構成された、２以上の金型ブロックを備える。ブロックは冷却／加熱道具に作り出される、対応する軟らかい領域または硬い領域に対応してもよい。
【００４６】
上部の金型ブロックは、使用において被熱間成形ブランクに面する上部の機能表面２３を備えてもよい。下部の金型ブロックは、使用において被熱間成形ブランクに面する下部の機能表面２４を備えてもよい。
【００４７】
上部の機能表面２３と反対の上部の金型の側面は、上部の本体３に結びつけられることができ、及び、下部の機能表面２２と反対の下部の金型の側面は、下部の本体２に結びつけられることができる。
【００４８】
上部２１及び下部２２の金型は、低い温度で操作するように構成された１またはいくつかのブロック（「冷たいブロック」）を含むことができる。これらの冷たいブロックは、ブロックに提供される経路を通る、例えば水といった冷却液及び／または空気で冷やされることができる。
【００４９】
水の経路において、経路における水の循環速度は、水の蒸発を避けることができるように、高くすることができる。制御システムはさらに提供されることができ、それゆえブロックの温度は制御されることができる。
【００５０】
加えて、上部２１及び下部２２の金型は、高い温度で操作されるように構成された１またはいくつかのブロック（「熱いブロック」）を含むことができる。「熱いブロック」は、「熱いブロック」の温度を制御するために、１以上の電気ヒータと温度センサを備えることができる。センサは熱電対であってもよい。それぞれの熱電対は、あらかじめ決められた温度で操作する道具の領域を画定することができる。さらに、それぞれの熱電対は、その領域の温度を設定するためにヒータまたはヒータ群と関連してもよい。領域（ブロック）あたりの電力の総量は、ヒータを集める能力を制限することができる。
【００５１】
高温を適用されたブロックの残存構造と操作は、冷却／加熱道具のためにすでに述べたのと同じであることができる。
【００５２】
さらに、上部２１及び／または下部２２の対になっている金型は、それぞれの金型にそれぞれ対応して配置された冷却システムを備える、上部の機能表面２３及び／または下部の機能表面２２の反対の表面に設置されることができる、冷却プレート（図示せず）が設けられてもよい。冷却システムは、形成道具の加熱を避けるまたは少なくとも、減らすために、または形成道具に、余分な冷却を提供するために、冷たい水またはその他の冷却液の循環のための冷たい経路を備えてもよい。
【００５３】
実施例において、押圧システム２０は、ブランクを保持するように及びブランクを下部の金型２２に置くように構成されたブランクホルダ２５が設けられてもよい。ブランクホルダは、下部の金型２２からあらかじめ決められた距離における位置へブランクホルダを付勢するように構成された１以上の付勢要素が設けられてもよい。
【００５４】
切り取る及び／または突き通す操作を実行するように構成された、第１の後操作道具３０が提供されることができる。第１の後操作道具３０は、押圧道具２０の下流に配置されることができる。第１の後操作道具３０は、上部３２及び下部３１の対になっている金型を備えることができる。第１の後操作道具の上部及び下部の対になっている金型は、上流の道具で作り出されたまたはあらかじめ準備された、異なる微細構造と機械的特性を得るべきブランクの領域に対応する、異なる温度で操作するように構成された金型ブロックを備えることができる。
【００５５】
上部の機能表面３３と反対の上部の金型３２の側面は、上部の本体３に結びつけられることができ、及び、下部の機能表面３４と反対の下部の金型３１の側面は、下部の本体２に結びつけられることができる。金型は、機能表面に配置された１以上のナイフまたは鋸刃（図示せず）を備えることができる。
【００５６】
ブランクにおける、すなわち「硬い領域」に対応する、低い温度の「冷たいブロック」を達成するように構成される、金型のブロックも、１以上の電気ヒータまたは熱い液体を導く経路及び金型の温度を制御するための温度センサを備えてもよい。温度センサは、熱電対であることができる。いくつかの実施例において、例えば２００℃より高いといった、あらかじめ決められた温度またはその近くで、冷たいブロック（「硬い領域」）に対応するブランクの領域の温度を維持することが好ましい。
【００５７】
２００℃またはその近くにおける、ブランクの強度は、ナイフまたは鋸刃における損傷を避けるための制限であることができる、約８００ＭＰａであることができる。制御は、温度を維持するためにいくつか他の制御も実施されることができるけれども、オン−オフ制御であることができる。
【００５８】
これらの冷たいブロックも、ブロックに提供された経路を通る、例えば水といった冷却液及び／または空気で冷却されることができる。
【００５９】
この実施例において、ブランクにおける、すなわち「軟らかい領域」に対応する、高い温度を達成するように構成される、ブロックは、加熱または冷却装置を実施されなくてもよい。いくつか他の実施例において、これらのブロックはすでに、ブロックに置かれた前のブランクによって、正しい温度であらかじめ加熱されることができる。
【００６０】
実施例において、第１の後操作道具３０は、ブランクを保持するように及び下部の金型３１にブランクを置くように構成されたブランクホルダ（図示せず）が設けられてもよい。
【００６１】
熱いブロックに対応するブランクの領域（「軟らかい領域」）の温度は、６５０℃またはその近くの温度で、第１の後操作道具３０の操作を始めてもよい。第１の後操作道具３０の操作が終わるとすぐに、ブランクの軟らかい領域の温度は、５９０℃またはその近くであってもよい。いくつかの実施例において、非加熱または冷却装置は、軟らかい領域に対応して実施されてもよい。
【００６２】
第２の後操作道具４０は、提供されることができる。第２の後操作道具４０も、切り取る及び／または突き通す操作を実行するように構成されることができる。第２の後操作道具４０は、第１の後操作道具３０の下流に配置されることができる。第２の後操作道具４０は、上部の対になっている金型４２と下部の対になっている金型４１を備えることができる。上部の対になっている金型４２は、上部の機能表面４３を備えてもよく、また、下部の対になっている金型４１は、下部の機能表面４４を備えてもよい。使用において、両方の機能表面は、被熱間成形ブランクに面することができる。機能表面は、例えばそれらが突き出た部分または凹部を備えることができるといった、平坦でなくてもよい。
【００６３】
押圧道具４０における金型は、被熱間成形ブランクと異なる温度を有していてもよく、それゆえ、膨張が、考慮に入れられる。このように、金型は、バランスを取るために、被熱間成形ブランクよりも２％長くすることができる。
【００６４】
機能表面４３の反対の上部の金型４２の側面は、上部の本体３に結びつけられてもよい。機能表面４４の反対の下部の金型４１の側面は、下部の本体２に結びつけられてもよい。
【００６５】
金型は、機能表面に配置された１以上のナイフまたは鋸刃を備えてもよい。
【００６６】
いくつかの実施例において、上部４２と下部４１の金型の間の距離を調整するように構成された調整装置（図示せず）が、提供されてもよい。上部４２と下部４１の間に置かれたブランクが使用において、それぞれの上部と下部の金型の機能表面に沿って、変形されることができる範囲において、このやり方は調整されることができる。
【００６７】
変形するために（そしてそれゆえブランクを調整する）、上部４２と下部の金型４１の間の距離を調整することが実行されるとすぐに、熱間成形されたブランクの許容範囲は、改良される。いくつかの実施例において、被熱間成形ブランクは、いくつか他の部分において以外のブランクの一部において、最適化されてない厚さ、例えばより大きな厚さを備える領域を有してもよく、それゆえ、厚さは最適化されるべきである。
【００６８】
平坦でない機能表面の配置によって、機能表面の選択された位置の距離（例えばブランクにおける放射状の範囲の近く）は、最適化されていない厚さを備える領域でまたはその近くで調整されてもよく、それゆえ材料は、変形されることができ、すなわち、最適化されてない厚さを備える領域に隣り合う領域へ流れざるを得ず、それゆえ、ブランクに沿った一定の厚さが達成されることができる。
【００６９】
実施例において、調整装置は、ブランクの厚さを検知するように構成されたセンサシステムに基づいて制御されるかもしれない。
【００７０】
いくつかの実施例において、第２の後操作道具４０は、ブランクを保持するように及びブランクを下部の金型４１に置くように構成されたブランクホルダ（図示せず）が設けられてもよい。ブランクホルダも、下部の金型からあらかじめ決められた距離における位置へブランクホルダを付勢するように構成された１以上の付勢要素が設けられてもよい。
【００７１】
さらなる実施例において、低い、または高い温度で操作するために道具の金型を適用する他の方法も予測されることができる。
【００７２】
図は、実質的に正方形または長方形を有する金型を記載するが、ブロックは、他の形状を有してもよく、部分的に丸みを帯びた形状であってもよいことが理解されるべきである。
【００７３】
すべての実施例において、温度を制御するための温度センサと制御システムは、いかなる道具で提供されてもよい。道具は、冷却プレート、ブランクホルダ、等が設けられてもよい。
【００７４】
例えば複数の産業ロボットまたはコンベアといった、自動的な移動装置（図示せず）も、道具の間でブランクの移動を実行するために提供されてもよい。
【００７５】
図２ａ−２ｄは、概略的に、実施例によるブランクを冷却するための方法の実行の間に起きる状況の順序を描く。同じ符号は、同じ要素を示す。方法は、図２ａ−２ｄによって描かれた状況の順序を参照して以下に記載される。
【００７６】
簡素の目的のために、観点への符号は、図２ａ（及びさらなる図）に関する記載に含まれることができる。観点への符号は、下部の本体に対する上部の本体の接近する位置を示すために使われることができる。それゆえ、例えば、符号は、上部の本体が、上部の本体が、下部の本体に対して最も高い位置にあることを示す、下部の本体に対して０°位置にあることと、上部の本体が、下部の本体に対して最も低い位置にある（完全に接触する位置）ことを示す１８０°である。３６０°は、それから、再び最も高い位置にある上部の本体をいう。
【００７７】
図２ａにおいて、被熱間成形ブランク１００は、高強度鋼（ＵＨＳＳ）で作られることができる。この特定の実施例において、ＵＨＳＳは、いくつかの他のボロン鋼が使われてもよいが、２２ＭｎＢ５ボロン鋼であってもよい。いくつかの実施例において、２２ＭｎＢ５は、約０．２３％のＣ、０．２２％のＳｉ及び０．１６％のＣｒを含んでもよい。材料は、さらに異なる割合で、Ｍｎ、Ａｌ、Ｔｉ、Ｂ、Ｎ、Ｎｉを備える。
【００７８】
使われることができた鋼の１つであるＵｓｉｂｏｒ（登録商標）の組成は、重さの割合において、以下にまとめられている（残りは鉄（Ｆｅ）及び不純物）
【００７９】
【表１】
0006722190.tif 000002
【００８０】
そのような２２ＭｎＢ５鋼は、８８０℃またはその近くで、Ａｃ３転換点（オーステナイト転換点、以後、Ａｃ３点のようにいう）を有することができることが見つけられた。Ａｃ１（オーステナイト化が、加熱において始まる第１の温度、以後、Ａｃ１点のようにいう）は７２０℃またはその近くである。Ｍｓ転換点（マルテンサイト開始温度、以後、Ｍｓ点のようにいう）は、４１０℃またはその近くであることができる。Ｍｆ転換点（マルテンサイト終了温度、以後、Ｍｆ点のようにいう）は、２３０℃またはその近くであることができる。
【００８１】
ブランク１００は、例えば加熱炉といった、加熱装置（図示せず）で加熱されてもよい。このように、ブランク１００は、Ａｃ３より高い温度へ加熱されてもよい。それゆえ、加熱は、８８０℃より高い温度へ実行されてもよい。
【００８２】
ブランク１００は、所望の温度へ加熱されるとすぐに、ブランク１００は、冷却／加熱道具１０へ移動してもよい。これは、例えば複数の産業ロボットまたはコンベヤといった、自動的な移動装置（図示せず）によって実行されてもよい。いくつかの実施例において、加熱炉（図示せず）と冷却／加熱道具１０の間のブランクを移動するための期間は、２〜３秒であることができる。
【００８３】
いくつかの実施例において、例えば、ピン及び／または案内装置を備えるセンタリングステーションは、冷却／加熱道具から上流に提供されてもよく、それゆえ、ブランクは適当に中心にされてもよい。
【００８４】
冷却／加熱道具の上部の金型１１と下部の金型１２は、使用において、ブランクに面する１以上の機能表面を備える２以上の金型ブロックによって形成されてもよい。
【００８５】
さらに、上部の金型も、加熱金型ブロック（図示せず）を備えてもよい。加熱金型ブロックは、高い温度（「熱いブロック」）を達成するように構成されるために、加熱源を備えてもよい。
【００８６】
さらに、上部と下部の金型は、１つまたはいくつかの「冷たい」ブロックを含んでもよい。これらの冷たいブロックは、ブロックに提供される経路を通る冷たい水及び／または冷たい空気によって冷却されてもよい。
【００８７】
熱いブロックと冷たいブロックの構造と操作は、図１を参照してすでに述べたものと同じであることができる。
【００８８】
この配置によって、少なくとも冷却／加熱道具の１つの金型ブロックは加熱されてもよく、それゆえ、加熱されたブロックに接触する領域（「軟らかい領域」）におけるブランク１００の異なる微細構造と機械的特性を変化させてもよい。
【００８９】
このようにして、軟らかい領域は、軟らかい領域の次の部分の強度が維持されることができる一方で、延性が強化されることができる。軟らかい領域の微細構造は、変更されてもよく、軟らかい領域の長さが増加されてもよい。
【００９０】
押す上部の本体３は、押圧機構を使って、開いた位置（０°位置）に置かれることができる。ブランク１００は、上部の金型１１と下部の金型１２の間に置かれることができる。上述のように、ブランク１００は、例えばＵｓｉｂｏｒ（登録商標）のような、例えばコーティングされまたはコーティングされてないボロン鋼で作られてもよい。変形の間、ブランクの部分は、例えば、金型ブロックのいくつかに提供された経路に冷たい液体を通すことによって、焼き入れされてもよい。ブランクの選択された部分は、それゆえ、他の部分より速く冷却されることによって、あらかじめ決められた微細構造を得ることができる。
【００９１】
いくつかの実施例において、ブランクは、ブランクホルダに置かれてもよい。下部の金型１２は、第１の下部の付勢要素１３及び第２の下部の付勢要素１４を用いて、下部の本体２に対して、あらかじめ決められた距離に動かされることができる。
【００９２】
上述のように、付勢要素は、いくつかの他の付勢要素が、例えば油圧機構といったものが可能であってもよいが、例えば機械的なバネまたはガススプリングといった例えば、バネを備えることができる。油圧機構は、受動的なまたは能動的な機構であってもよい。
【００９３】
このように、下部の金型１２（及びそれゆえ下部の金型１２に置かれたブランク１００）下部の本体２から第１のあらかじめ決められた位置（下部の金型は上部の金型によって、９０°から１５０°で接触されることができる位置）に置かれてもよい。
【００９４】
図２ｂにおいて、プレス機は、固定された下部の本体に対して、可動性の上部の本体の下への押す進行で示され、それゆえ、上部の金型１１は、下部の金型１２（及びそれゆえ下部の金型に置かれるブランク）に向かって動かされてもよい。
【００９５】
上部の金型１１は、第１のあらかじめ決められた位置（９０°から１５０°の位置の間）における冷却／加熱道具の上部の金型１１と冷却／加熱道具の下部の金型１２の間に置かれたブランク１００に接触してもよい。
【００９６】
図２ｃにおいて、ブランクは、９０°から１５０°の位置の間で接触されるとすぐに、上部の金型１１は、対応する領域において、ブランク１００を冷却し加熱し始めてもよい。この意味において、加熱することは、温かい部分の温度がその最初の温度から実際に増加することを必ずしも意味せず、しかし、むしろ温度が維持されるか、または相対的にゆっくり冷やされることを意味する。ブランクを押圧することによって、第１の下部の付勢要素と第２の下部の付勢要素は、対応する領域において、ブランク１００を冷却し、加熱する最終的な所望の位置（１８０°位置）に達するまで、変形されてもよい。
【００９７】
図２ｄにおいて、最終的な所望の位置（１８０°位置）に達するとすぐに、押圧機構によって、上部の本体の上への押す進行が提供されてもよい。上部の金型とブランクの間で最後の接触は、下部の本体に対して上部の本体（及びそれゆえ上部の金型）の２１０°から２７０°の位置であることができる。第１の下部の付勢要素１３と第２の下部の付勢要素１４は、それらの元の位置へ戻す、すなわち伸ばされてもよい。このように、ブランク１００が上部の金型によって、最初に接触してから、最後の接触の期間、すなわち、ブランクが加熱され及び／または冷却される時間は、０．３３から１秒であることができる。
【００９８】
すでに、ブランク１００は、８８０℃より上の温度へ前に加熱されるかもしれないことは述べられた。ブランクは、冷却／加熱道具１０へ移動されてもよく、それゆえ、移動期間の間、温度は、７５０℃から８５０℃へ減らされることができる。この配置によって、ブランク１００は、７５０℃から８５０℃の温度を有するとき、冷却／加熱道具１０に置かれることができる。ブランクは、それから、低い温度で操作するように構成されたブロックに対応するブランクの領域（「硬い領域」）において５７０℃またはその近くの温度へ冷却されてもよい。同時に、ブランクの位置は、高い温度で操作するように構成されたブロックに対応するブランクの領域（「軟らかい領域」）において約７４０℃の温度より高く維持されることができる。これにより、硬い領域のための例えば、５００℃またはその近くの冷却割合を導いてもよい。軟らかい領域の冷却割合は、２５℃／ｓ以下、好ましくは、１５℃／ｓまたはその近くである。
【００９９】
押圧システム３に組み込まれた冷却／加熱道具１０によって、高い温度におけるブランクの部分（そしてそれゆえ、軟らかい領域を作り出す）を冷却する／または維持するための時間は、軟らかい領域を作り出すように構成された外部の冷却／加熱道具から、ブランクを移動するための、従来のシステムから知られた余分な動作を、避けることができるため、最適化されることができる。時間も省くことができる。さらに、道具の間のブランクの動作が制限され、そしてそれゆえ、ブランクの異なる部分の温度と冷却割合はさらに簡単に制御される。
【０１００】
図２ｅ−２ｈは、概略的に、実施例によるブランクを引くための方法の実行の間に起きる状況の順序を描く。同じ符号は、同じ要素を示す。方法は、図２ｅ−２ｈによって描かれた状況の順序を参照して以下に記載される。
【０１０１】
図２ｅにおいて、ブランク１００は、すでに異なる温度で領域が設けられていてもよく、それゆえ、ブランク１００は、冷却／加熱道具１０から押圧道具２０へ移動されることを準備されてもよい。押圧道具２０も、「形成道具」または「引く道具」のようにいわれてもよい。
【０１０２】
移動は、例えば、複数の産業ロボットまたはコンベヤといった、自動的な移動装置によって実行されてもよい。
【０１０３】
上述したように、ブランクは、低い温度で操作するように構成されたブロックに対応する領域（硬い領域）において、約５７０℃の温度を有して移動されることができる。移動時間が原因で、低い温度において操作するように構成されたブロックに対応する、ブランク１００の領域は、約５５０℃へ冷却されるかもしれない。同時に、高い温度で操作するように構成されたブロックに対応する、ブランク１００の領域（軟らかい領域）は、冷却道具から出るとき、約７５０℃であってもよい。また、移動時間が原因で、高い温度で操作するように構成されたブロックに対応する、ブランク１００の領域は、７３０℃またはその近くで冷やされるかもしれない。
【０１０４】
ブランク１００は、ブランクホルダを使って、押圧道具の下部の金型２２に移動装置によって置くことができる。いくつかの実施例において、押す下部の金型２２に対して、ブランクホルダの距離は、１以上の付勢要素を使って、調整される。
【０１０５】
ブランク１００が下部の金型２２に移動され、置かれている一方で、自動的な移動システムは、冷却／加熱道具１０へブランク２００を提供するために操作されてもよい。結果として、冷却／加熱道具１０は、ブランク２００を冷却するために、操作を始められることができる。この操作は、前に述べたように、実行されることができる。さらに、この操作は、押圧道具２０のブランク１００に引くまたは形成する操作と同時に実行されてもよい。
【０１０６】
このように、押す上部の本体３は、押圧機構を使って、開いた位置（０°位置）に再び置かれることができる。ブランク１００は、押圧道具の上部の金型２１と押圧道具の下部の金型２２の間に置かれることができる。
【０１０７】
図２ｆにおいて、プレス機１は、固定された下部の本体２に対して、可動性の上部の本体３の下への押す進行が与えられることができ、それゆえ、上部の金型２１は、下部の金型２２へ向かって動かされることができる。
【０１０８】
この実施例において、押圧道具の上部２１と下部２２の金型は、異なる温度で操作するように構成された２以上の金型（図示せず）が設けられてもよい。ブロックは、冷却／加熱道具１０の操作の間、作り出された異なる温度を備えるブランクの領域に対応することができる。冷却／加熱道具におけるブロックの構造と操作は、上述したように、同じにすることができる。
【０１０９】
図２ｇにおいて、上部の金型２１は、約１８０°の位置の押圧道具の上部の金型２１と押圧道具の下部の金型２２の間に置かれたブランク１００に接触することができる。ブランクが接触するとすぐに、上部の金型２１は、押圧することを始め、ブランク１００を引くことができる。
【０１１０】
図２ｈにおいて、最終的な所望の位置に到達する（約１８０°において）と、上への押す進行が提供されることができる。形成する道具の上部の金型の機能表面とブランクの間の最後の完全な接触（そして、それゆえ、引く操作の終わり）は、１８０°から２１０°の位置であることができる。ブランクとブランクホルダの間の最後の接触は、例えば２１０°−２７０°であることができる。
【０１１１】
押圧道具は、前述のように、冷却システムが設けられることができる。冷却システムは、コントローラによって制御されることができ、それゆえ、ブランク１００の温度は、所望の温度へ、選択された速度で、減らすことができる。押圧道具２０の操作の間、低い温度に操作されたブロックに対応する領域（硬い領域）におけるブランク１００の温度は、３００℃またはその近くの温度に到達するまで、減らされることができる。
【０１１２】
低い温度で操作されるブロックに対応する領域は、最適化された数のヒータが設けられることができる。このように、低い温度で操作されるブロックに対応する領域におけるブランク１００の温度は、３００℃またはその近くに維持されることができる。
【０１１３】
この特定の実施例において、ヒータと冷却装置は、高い温度で操作するように構成されたブロックにおいて必要とされなくてもよい。これは、高い温度で操作されたブロックは、前のブランクにおける操作によって加熱されることができたため、それゆえ、ブロックは、正しい温度が保持される。代わりの実施例において、ヒータとクーラは、温度制御のために提供されてもよい。
【０１１４】
引く工程が原因で、高い温度で操作されるブロックに対応する領域における温度は、６７０℃またはその近くの温度に達するまで、約７３０℃から減らされることができる。
【０１１５】
図２ｉ−２ｌは概略的に、実施例による同じブランクを突き通す及び／または切り取るための方法の実行の間に起きる状況の順序を描く。同じ符号は、同じ要素を示す。方法は、図２ｉ−２ｌによって、描かれた状況の順序を参照する以下に描かれる。
【０１１６】
図２ｉにおいて、ブランク１００は、すでに引かれ、それゆえ、ブランク１００は、押圧道具２０から、例えば、突き通すまたは切り取る操作をする道具といった、第１の後操作道具３０へ移動されるために準備されてもよい。移動は、例えば、複数の産業ロボットまたはコンベヤといった、自動的な移動装置（図示せず）によって、実行されてもよい。上述のように、ブランク１００は、押圧道具２０から離れてもよく、３００℃またはその近くの温度（低い温度で操作するように構成されたブロックに対応するブランクの領域において）及び６７０℃またはその近くの温度（高い温度で操作するように構成されたブロックに対応するブランクの領域において）で、移動されることができる。
【０１１７】
移動時間が原因で、ブランク１００は、２８０℃またはその近く（低い温度で操作するように構成されたブロックに対応するブランクの領域において）及び５９０℃またはその近くの温度（高い温度で操作するように構成されたブロックに対応するブランクの領域において）に冷却されるかもしれず、それゆえ、ブランクは、それらの温度で、第１の後操作道具に置かれる。ブランク１００は、下部の金型３１に、及び下部の金型３１と上部の金型３２の間に置かれてもよい。
【０１１８】
低い温度で操作するように構成されたブロックは、例えば、ヒータ及び／または熱い液体を備える経路といった、加熱装置を備え、それゆえ、ブランクの領域に対応する温度は、２００℃より高く維持されることができる。
【０１１９】
冷たいブロックに対応するブランクの領域は、好ましくは、２００℃より高く維持されることが見つけられた。これにより、鋼の強度は、刃の損傷を避けて、突き通すまたは切り取る操作を実行するために可能な最大の強さである、約８００ＭＰａを保持される。
【０１２０】
図２ｊにおいて、ブランク１００が、下部の金型３１に移動され、置かれるとき、自動的な移動システムは、冷却ステーションから押圧道具２０へブランク２００を移動し、そして冷却／加熱道具１０へさらなるブランク３００を提供するために、操作されることができる。結果として、冷却／加熱道具１０は、上述したように、ブランク３００を冷却する操作を始めることができる。同時に、押圧道具２０は、ブランク１００が第１の後操作を受ける間に、また、上述したように、ブランク２００を引くために操作を始めることができる。
【０１２１】
押す上部の本体３２は、押圧機構を使って、開いた位置（０°位置）に置かれることができる。プレス機１は、固定された下部の本体２に対して、可動性の上部の本体３の下への押す進行が与えられることができ、それゆえ、上部の金型３２は、下部の金型３１へ動かされてもよい。
【０１２２】
図２ｋにおいて、上部の金型３２は、最終的な所望の位置（１８０°またはその近く）に到達するまで、押圧道具の上部の金型３２と押圧道具の下部の金型３１の間に置かれたブランク１００に接触することができる。
【０１２３】
プレス機が、ブランク１００に接触する間、突き通す操作は、鋸刃またはいくつか他の切る要素を使って、実行されることができる。突き通す操作が終わるとすぐに、切り取る操作は、実行されることができる。代わりの実施例において、切り取る操作は、始めに実行されてもよく、切り取る操作が終わるとすぐに、切り取る操作が実行されてもよい。
【０１２４】
ブランク１００が後操作を受ける間、低い温度で操作するように構成されたブロックに対応するブランクの領域は、すでに前述のように、設備を用いることによって、加熱され及び／または冷却されてもよい。
【０１２５】
このように、低い温度で操作するように構成されたブロックに対応するブランク１００の領域の温度は、２００℃より高く維持されることができる。この配置によって、ブランクの強度は、突き通され、及び／または切り取られるために、妥当な値で維持されることができる。
【０１２６】
この実施例において、高い温度で操作するように構成されたブロック（ブランクにおける軟らかい領域に対応する）は、加熱／冷却装置が設けられる必要がない。これらのブロックは、すでに、正しい温度で、前のブロックにおける操作によって加熱され、それゆえ、加熱または冷却装置は必要でないかもしれない。
【０１２７】
図２ｌにおいて、最終的な所望の位置（１８０°位置）に達するとすぐに、上への押す進行が提供されることができる。上部の金型３２の機能表面とブランク１００の間の最後の完全な接触（そしてそれゆえ、操作の終わり）は１８０°から２１０°の位置であることができる。ブランクとブランクホルダの間の最後の接触は、２１０°から２７０°で生じてもよい。
【０１２８】
図２ｍ−２ｐは、概略的に、実施例によるブランクをさらに突き通す及び／または切り取るための方法の実行の間に起きる状況の順序を描く。同じ符号は、同じ要素を示す。方法は、図２ｍ−２ｐによって描かれた状況の順序を参照して以下に記載される。
【０１２９】
図２ｍにおいて、ブランク１００は、第１の後操作道具３０から、例えば、突き通す、切り取る及び調整の道具といった、第２の後操作道具４０へ移動されてもよい。移動は、例えば、複数の産業ロボットまたはコンベヤといった、自動的な移動装置（図示せず）によって実行されることができる。前述のように、ブランク１００は、第１の後操作道具３０から離れてもよく、硬い領域のための約２００℃の温度と、軟らかい領域のための約５９０℃の温度で移動されることができる。
【０１３０】
図２ｎにおいて、ブランク１００は、例えばブランクホルダを使って、下部の金型４１に置かれることができる。ブランクは、下部の金型４１と上部の金型４２の間に置かれることができる。
【０１３１】
ブランク１００が、下部の金型４１に移動され、置かれているとき、自動的な移動システムは、引く道具から第１の後操作道具３０へブランク２００を移動することができ、ブランク３００は、押圧道具２０に移動され、さらにブランク４００は、冷却／加熱道具１０へ移動される。結果として、冷却／加熱道具１０は、ブランク４００を操作する。同時に、押圧道具２０は、ブランク３００を引き、そして第１の後操作道具３０は、それぞれブランク２００にその操作を始めることができる。道具の操作は、前述のように、同じであることができる。同時に、ブランク１００は第２の後操作を受ける。
【０１３２】
図２ｏにおいて、押す上部の本体４２は、押圧機構を使って、開いた位置（０°位置）に置かれることができる。プレス機１は、固定された下部の本体２に対して、可動性の上部の本体３の下への押す進行が与えられることができ、それゆえ上部の金型４２は、下部の金型４１へ向かって動かされることができる。上部の金型４２は、最終的な所望の位置（下部の本体に対して、上部の金型の１８０°またはその近く）における、上部の金型４１と下部の金型４２の間に置かれるブランクと接触することができる。
【０１３３】
プレス機が、ブランク１００に接触する間、突き通す操作は、鋸刃を使って、実行されることができる。突き通す操作が終わるとすぐに、切り取る操作は実行されることができる。代わりの実施例において、切り取る操作は、始めに実行されることができ、そして、切り取る操作は、切り取る操作が終わるとすぐに、実行されることができる。
【０１３４】
さらに、調整操作が実行されることができ、それゆえ、ブランクの許容範囲が改善されることができる。このように、上部の金型４２と下部の金型４１の間の距離は、調整装置を使って調整されることができる。調整装置は、ブランク１００の厚さを検知するように構成されたセンサシステム（図示せず）に基づいて、制御されることができる。実施例に続いて、ブランクは、上部４２及び下部４１の金型によって押圧されることができ、それゆえ、ブランクの一定の厚さが達成されることができる。
【０１３５】
第２の後操作道具の操作が終わるとすぐに、ブランク１００は、移動され、そして室温にて、硬化されてもよい。
【０１３６】
図２ｐにおいて、最終的な所望の位置（１８０°位置）に到達するとすぐに、上への押す進行が提供されることができる。
【０１３７】
開いた位置（０°位置）は、上への動作を適用することによって、プレス機によって到達されるとすぐに、ブランク１００は、移動され、そして室温にて、硬化されてもよい。同時に、自動的な移動システムは、冷却／加熱道具１０へブランク５００を、第２の後操作道具４０へブランク２００を、第１の後操作道具３０へブランク３００を、押圧道具２０へブランク４００を、提供するために操作されることができる。結果として、全ての道具は、前述したように、それらの操作を始めることができる。
【０１３８】
いくつかの実施例において、ブランク１００の形状によって、さらに引く及び、例えば突き通す及び／または切り取るといった他の操作が、提供される。さらなる実施例において、後操作の順番が互いに入れ替えられる（例えば、第１に切り、それから調整またはその逆）。
【０１３９】
完璧の理由のために、本開示の様々な態様は、次の番号をつけられて項目に示される。
【０１４０】
項目１．熱間成形された構造の部品を製造するための押圧システムであって、システムは、固定された下部の本体と、可動性の上部の本体と、固定された下部の本体に対して、可動性の上部の本体を上へ及び下へ押す進行を提供するように構成された機構と、を備え、
システムは、選択された部分が、局所的に異なる微細構造及び機械的特性を得ることができるように、前もって加熱されたブランクの選択された部分を冷却及び／または加熱するように構成された冷却／加熱道具と、ブランクを引くように構成された押圧道具と、冷却／加熱道具から押圧道具へブランクを移動するためのブランク移動機構と、を備え、
冷却／加熱道具は、上部及び下部の対になっている金型を備え、それぞれの冷却金型は、使用において、ブランクに面する１以上の機能表面を備える、２以上の金型ブロックによって形成され、
上部及び下部の金型は、局所的に異なる微細構造及び機械的特性を有するブランクの領域に対応する、異なる温度で操作されるように構成された２以上の金型ブロックを備え、
押圧道具は、冷却／加熱道具の下流に配置され、上部と下部の対になっている金型を備え、それぞれの押圧金型は、使用において、ブランクに面する１以上の機能表面を備え、上部の押圧金型は、上部の本体に結びつけられ、下部の押圧金型は、下部の本体に結びつけられるシステム。
【０１４１】
項目２．冷却／加熱道具の下部の金型は、下部の本体からのあらかじめ決定された第１の距離における位置へ、下部の金型を付勢するように構成された１以上の下部の付勢要素を備える下部の本体と連結され、及び／または、冷却加熱道具の上部の金型は、上部の本体からのあらかじめ決定された第２の距離における位置へ、上部の金型を付勢するように構成された１以上の上部の付勢要素を備える上部の本体と連結される、項目１に記載のシステム。
【０１４２】
項目３．高い温度で操作するように構成されたブロックは、１以上の電気ヒータを備える、項目１または２に記載のシステム。
【０１４３】
項目４．ヒータは、独立に稼働するように構成された、項目３に記載のシステム。
【０１４４】
項目５．高い温度で操作するように構成されたブロックは、熱い液体を案内する経路を備える、項目１−４のいずれかに記載のシステム。
【０１４５】
項目６．低い温度で操作するように構成されたブロックは、冷却液及び／または空気を案内する経路を備える、請求項１−５のいずれかに記載のシステム。
【０１４６】
項目７．押圧道具の上部及び下部の対になっている金型はさらに、局所的に異なる微細構造と機械的特性を有するブランクの領域に対応する異なる温度で、操作するように構成された２以上の金型ブロックを備える、項目１−６のいずれかに記載のシステム。
【０１４７】
項目８．高い温度で操作するように構成された押圧道具のブロックは、１以上の電気ヒータを備える、請求項７に記載のシステム。
【０１４８】
項目９．ヒータは、独立に稼働するように構成された、項目８に記載のシステム。
【０１４９】
項目１０．高い温度で操作するように構成されたブロックは、熱い液体を案内する経路を備える、項目７−９のいずれかに記載のシステム。
【０１５０】
項目１１．低い温度で操作するように構成されたブロックは、冷却液及び／または空気を案内する経路を備える、請求項７−１０のいずれかに記載のシステム。
【０１５１】
項目１２．さらに、切り取る及び／または突き通す操作の実行するように構成された第１の後操作道具を備え、第１の後操作道具は、押圧道具の下流に配置され、上部及び下部の対になっている第１の後操作道具の金型を備え、
それぞれの金型は、使用においてブランクに面する１以上の機能表面を備え、
上部の第１の後操作道具の金型は、上部の本体に結びつけられ、下部の第１の後操作道具の金型は、下部の本体に結びつけられ、
第１の後操作道具の金型は、機能表面に配置された、１以上の鋸刃を備え、
ブランク移動機構は、さらに押圧道具から第１の後操作道具へブランクを移動するように構成される、項目１−１１のいずれかに記載のシステム。
【０１５２】
項目１３．第１の後操作道具の上部及び下部の対になっている金型はさらに、局所的に異なる微細構造と機械的特性を有するブランクの領域へ対応する異なる温度で操作するように構成された金型ブロックを備える、項目１２に記載のシステム。
【０１５３】
項目１４．低い温度で操作するように構成された第１の後操作道具の金型ブロックは、１以上の電気ヒータを備える、項目１３に記載のシステム。
【０１５４】
項目１５．ヒータは、独立に稼働することができる、項目１４に記載のシステム。
【０１５５】
項目１６．低い温度で操作するように構成された第１の後操作道具の金型ブロックは、熱い液体を案内する経路を備える、項目１３に記載のシステム。
【０１５６】
項目１７．低い温度で操作するように構成された第１の後操作道具の金型ブロックは、冷却液及び／または空気を案内する経路を備える、項目１３−１６のいずれかに記載のシステム。
【０１５７】
項目１８．冷却／加熱道具のブロック及び／または押圧道具のブロック及び／または第１の後操作道具のブロックの温度は、ブロックで測定された温度に基づいて、調整されるように構成される、項目１−１１または１３−１７のいずれかに記載のシステム。
【０１５８】
項目１９．ブロックは、ブロックの温度を測定するように構成された１以上の熱電対を備える、項目１８に記載のシステム。
【０１５９】
項目２０．さらに、切り取る及び／または突き通す操作を実行するように構成された第２の後操作道具を備え、第２の後操作道具は、第１の後操作道具の下流に配置され、上部及び下部の対になっている第２の後操作道具の金型を備え、
それぞれの金型は、使用においてブランクに面する１以上の機能表面を備え、
上部の第２の後操作道具の金型の反対は、上部の本体に結びつけられ、下部の第２の後操作道具の金型は、下部の本体に結びつけられ、
金型は、機能表面に配置された、１以上の鋸刃を備え、
ブランク移動機構は、さらに第１の後操作道具から第２の後操作道具へブランクを移動するように構成される、項目１２−１９のいずれかに記載のシステム。
【０１６０】
項目２１．第２の後操作道具は、それぞれの上部と下部の金型の機能表面に沿って第２の後操作道具において、使用において、置かれるブランクを変形するように、上部と下部の金型の間の距離を調整するように構成された調整装置を備え、調整装置は、ブランクの厚さを検知するように構成されたセンサシステムに基づいて制御される、項目２０に記載のシステム。
【０１６１】
項目２２．ブランクを加熱及び冷却するための方法であって、
項目１−２１のいずれかによる押圧システムを提供し、
超高強度鋼（ＵＨＳＳ）から作られた被熱間成形ブランクを提供し、
ブランクを加熱し、
押圧機構を用いて、開いた位置に押す上部本体を配置し、
冷却／加熱道具の上部及び下部の対になっている金型の間にブランクを配置し、
ブランクを押圧するために、固定された下部の本体に対して、最終的な所望の位置になるまで、上部の金型が、下部の金型へ向かって動かされるように、固定された下部の本体に対して、可動性の上部の本体の下へ押す進行を提供することによって、少なくともブランクの選択された位置を冷却し、
局所的に異なる微細構造と機械的特性を有するように、被形成ブランクの領域に対応する異なる温度で少なくとも２つの金型ブロックを操作し、
高い温度のブロックは、それらの機能表面が軟らかい領域が形成されるべきブランクの部分に、接触して入るように構成されるように、ブランクに対して配置される、項目２０に記載のシステム。
【０１６２】
項目２３．ブランクを配置する前に、ブランクは、センタリングステーションで中心にされる、項目２２に記載の方法。
【０１６３】
項目２４．ＵＨＳＳは、約０．２３％Ｃ、０．２２％Ｓｉ及び１．１８％Ｍｎを含む、項目２２−２３に記載の方法。
【０１６４】
項目２５．ＵＨＳＳはさらに、Ａｌ、Ｔｉ、Ｂ、Ｃｒ、Ｎｉ、Ｎを含む、項目２４に記載の方法。
【０１６５】
項目２６．ブランクは、少なくとも、８８０℃のオーステナイト化する温度へ加熱される、項目２２−２５のいずれかに記載の方法。
【０１６６】
項目２７．低い温度で操作するように構成された冷却／加熱道具のブロックは、６５０から４５０℃で、ブランクの対応する領域を冷却する、項目２２−２６のいずれかに記載の方法。
【０１６７】
項目２８．低い温度で操作するように構成された冷却／加熱道具のブロックは、５５０から５００℃で、ブランクの対応する領域を冷却する、項目２７のいずれかに記載の方法。
【０１６８】
項目２９．高い温度で操作するように構成された冷却／加熱道具のブロックは、８００から６５０℃で、ブランクを冷却する、項目２２−２６のいずれかに記載の方法。
【０１６９】
項目３０．高い温度で操作するように構成された冷却／加熱道具のブロックは、２５℃／ｓより低い割合でブランクを冷却する、項目２２−２９のいずれかに記載の方法。
【０１７０】
項目３１．さらに、冷却／加熱道具から押圧道具へブランクを移動し、
押圧道具の上部及び下部の金型の間にブランクを配置し、
構造部品を押圧するために、押す固定された下部の本体に対して、最終的な所望の位置に到達するまで、固定された下部の本体に対して、可動性の上部の本体を下へ押す進行を提供することによって、ブランクを引く、項目２２−３０のいずれかに記載の方法を備える、ブランクを引く方法。
【０１７１】
項目３２．さらに局所的に異なる微細構造と機械的特性を有する被形成ブランクの領域に対応する、異なる温度で少なくとも２つの金型ブロックを操作することを備える、項目６を引用する項目３１に記載の方法。
【０１７２】
項目３３．低い温度で操作するように構成された押圧道具のブロックは、３２０から２８０℃のブランクの温度を維持する、項目３２に記載の方法。
【０１７３】
項目３４．さらに、押圧道具から第１の後操作道具へブランクを移動し、
第１の後操作道具の上部及び下部の対になっている金型の間に被形成構造部品を配置し、
ブランクを押圧するために、押す固定された下部に対して、最終的な所望の位置に到達するまで、押す固定された下部の本体に対して、押す可動性の上部の本体に下へ押す進行を提供し、
第１の後操作道具の鋸刃を使って、ブランクを切るまたは押し抜きをする、項目１２を引用する項目３１−３３のいずれかに記載の方法を備える、ブランクを突き通す及び／または切り取る方法。
【０１７４】
項目３５．さらに、ブランクを切る及び／または押し抜きをする前に、局所的に異なる微細構造と機械的特性を有する被形成ブランクの領域に対応する異なる温度で、第１の後操作道具の少なくとも２つの金型ブロックを操作することを備える、項目１３を引用する項目３４に記載の方法。
【０１７５】
項目３６．低い温度で操作するように構成された金型ブロックは、２００℃より高い対応するブランクの領域の温度を維持する、請求項３５に記載の方法。
【０１７６】
項目３７．さらに第１の後操作道具から第２の後操作道具へ構造部品を移動し、
構造部品を押圧するために、最終的な所望の位置に到達するまで、押す固定された下部の本体に対して、押す可動性の上部の本体の下へ押す進行を提供し、
鋸刃を使って、構造部品を切るまたは押し抜きをし、
それぞれの上部及び下部の金型の機能表面にそって、被形成構造部品を変形するように、上部及び下部の金型の間の距離を調整する、項目２０を引用する、項目３４−３６のいずれかに記載の方法を備える、熱間成形された被形成構造部品をさらに、突き通す及び／または切り取る及び調整する方法。
【０１７７】
項目３８．項目２２−３９のいずれかに記載された方法によって得られる熱間成形された構造部品。
【０１７８】
多くの実施例がここで開示されたのみであるが、それらの他の代替、変更、使用、及び／または等価物が可能である。さらに、記載された実施例の全ての可能な組み合わせも対象にされる。それゆえ、本開示の範囲は、特定の実施例によって限定されるべきでなく、続く請求項の公正な解釈によってのみ決定されるべきである。
【図１】
0006722190.tif 000003
【図２ａ】
0006722190.tif 000004
【図２ｂ】
0006722190.tif 000005
【図２ｃ】
0006722190.tif 000006
【図２ｄ】
0006722190.tif 000007
【図２ｅ】
0006722190.tif 000008
【図２ｆ】
0006722190.tif 000009
【図２ｇ】
0006722190.tif 000010
【図２ｈ】
0006722190.tif 000011
【図２ｉ】
0006722190.tif 000012
【図２ｊ】
0006722190.tif 000013
【図２ｋ】
0006722190.tif 000014
【図２ｌ】
0006722190.tif 000015
【図２ｍ】
0006722190.tif 000016
【図２ｎ】
0006722190.tif 000017
【図２ｏ】
0006722190.tif 000018
【図２ｐ】
0006722190.tif 000019